(57)【要約】      （修正有）【課題】剥がされた封印シールの再使用を防止すると共に、精巧なコピーの使用を防止することができるように構成された封印シールを提供する。【解決手段】剥がし防止用の封印シールであって、脆質材料で構成された脆質シール１１と、脆質シールに形成された溶剤使用防止用のスリット１４とを備え、スリットは、脆質シールを剥がすことを試みた場合に特定の有機溶液が該スリットを通して該脆質シールの表面に染み出すことにより該脆質シールの表面におけるインクで塗布された模様或いは捺印を滲ませるように構成される。【選択図】図１
2006284986.tif 000002
【特許請求の範囲】
【請求項１】
剥がし防止用の封印シールであって、脆質材料で構成された脆質シールと、前記脆質シールに形成された溶剤使用防止用のスリットとを備え、前記スリットは、前記脆質シールを剥がすことを試みた場合に特定の有機溶液が該スリットを通して該脆質シールの表面に染み出すことにより該脆質シールの表面におけるインクで塗布された模様或いは捺印を滲ませるように構成されることを特徴とする封印シール。
【請求項２】
前記脆質シールに形成されたバーコードを更に備え、前記バーコードは、前記封印シールが貼り付けられるゲーム機の種別情報及び当該ゲーム機が設置されている店舗情報の少なくともいずれか一方の情報を含むことを特徴とする請求項１に記載の封印シール。
【請求項３】
前記バーコードは、２次元コードで構成され、前記２次元コードは、ＱＲコードであることを特徴とする請求項２に記載の封印シール。
【請求項４】
前記脆質シールに塗布されたＤＮＡインキを更に備え、前記ＤＮＡインキは、無色透明なインキであり、前記無色透明なインキは、両末端が特定のプライマ−で封止されたＤＮＡオリゴマーと、特定の波長を有する光により励起状態となり当該励起状態から基底状態に遷移するときに光を放射する光励起顔料とが添加されていることを特徴とする請求項１に記載の封印シール。
【請求項５】
ゲーム機の所定の位置に封印シールを貼り付ける認証システムであって、
封印シールを構成している脆質シールの状態を確認する手段と、
前記脆質シールに形成されたスリットの状態を確認する手段と、
前記脆質シールの状態及び前記スリットの状態に基づいて該脆質シールのすり換え/剥がし跡の有無を確認する手段と、
前記脆質シールに塗布されたＤＮＡインクに基づいて該脆質シールの真贋を確認する手段と、
各前記確認する手段において前記脆質シールに異状がないことが確認された場合には、該脆質シールに形成されたバーコードに基づいて前記ゲーム機に関する情報及び当該ゲーム機が設置されている場所に関する情報を確認する手段とを備えていることを特徴とする認証システム。
【請求項６】
前記スリットは、前記脆質シールを剥がすことを試みた場合に特定の有機溶液が該スリットを通して該脆質シールの表面に染み出すことにより該脆質シールの表面におけるインクで塗布された模様或いは捺印を滲ませるように構成されることを特徴とする請求項５に記載の認証システム。
【請求項７】
前記バーコードは、２次元コードで構成され、前記２次元コードは、ＱＲコードであることを特徴とする請求項５に記載の認証システム。
【請求項８】
前記脆質シールに塗布されたＤＮＡインキは、無色透明なインキであり、
前記無色透明なインキは、両末端が特定のプライマ−で封止されたＤＮＡオリゴマーと、特定の波長を有する光により励起状態となり当該励起状態から基底状態に遷移するときに光を放射する光励起顔料とが添加されていることを特徴とする請求項５に記載の認証システム。
【請求項９】
ゲーム機の所定の位置に封印シールを貼り付ける認証方法であって、
封印シールを構成している脆質シールの状態を確認する段階と、
前記脆質シールに形成されたスリットの状態を確認する段階と、
前記脆質シールの状態及び前記スリットの状態に基づいて該脆質シールのすり換え/剥がし跡の有無を確認する段階と、
前記脆質シールに塗布されたＤＮＡインクに基づいて該脆質シールの真贋を確認する段階と、
各前記確認する段階において前記脆質シールに異状がないことが確認された場合には、該脆質シールに形成されたバーコードに基づいて前記ゲーム機に関する情報及び当該ゲーム機が設置されている場所に関する情報を確認する段階とを具備することを特徴とする認証方法。
【請求項１０】
前記脆質シールを剥がすことを試みた場合に特定の有機溶液が前記スリットを通して該脆質シールの表面に染み出すことにより該脆質シールの表面におけるインクで塗布された模様或いは捺印を滲ませる段階を更に具備することを特徴とする請求項９に記載の認証方法。
【発明の詳細な説明】
【技術分野】
【０００１】
本発明は、例えば、パチンコ等のゲーム機に使用されるＲＯＭ（リード・オンリー・メモリ）の封印として用いることができる封印シール、該封印シールを使用する認証システム、及び該封印シールを使用する認証方法に関する。
【背景技術】
【０００２】
従来の封印シールとしては、例えば、特開２００３−２９６３７号公報に教示された封印シールが知られている。この封印シールは、溶剤による不正剥離を一見して見破ることができ、かつ偽造品を印刷やカラーコピー機で容易に複製することを不可能にした封印シールであり、基材の一方の面に、溶剤により反応して変色する溶剤反応型インキ層が設けられ、さらに該面の一部にコレステリック液晶層が設けられ、他方の面には粘着剤と離型材が順に設けられているものである。
【０００３】
また、パチンコ等のゲーム機に使用されるＲＯＭ（リード・オンリー・メモリ）を封印するために用いられる従来の封印シールとしては、例えば、特開２００１―２６５２２号公報に教示された封印シールが知られている。この封印シールは、偽造を簡単に行うことができず、かつ封印シールを剥がしてＲＯＭ等を不正なものと差し替えて、剥がした封印シールを再び貼り付けても、該封印シールの外観に剥がした痕跡が残るので、不正行為が行われたことが容易に分かるように構成された一体型封印シールであり、脆性材料、粘着剤、脆性シール上に、支持体、剥離剤、ホログラム、蒸着層、粘着剤からなるホログラムシールを交差させて重ね、この交差させて重ねた部分を接着して両シールを一体化したものである。
【発明の開示】
【発明が解決しようとする課題】
【０００４】
しかしながら、上述した従来の封印シールでは、剥がされた封印シールの再使用を不可能にして、不正剥離を防止することは可能であるが、改竄テクニックの向上に伴い封印シールのより精巧なコピーを製造して不正使用することが可能になりつつあり、上述した従来の封印シールのように単に剥離防止機能を備えているだけでは、今後発生しうるであろう新たな不正使用に対処することができないという問題点があった。
【０００５】
本発明は、上記従来の封印シールの問題点に鑑みてなされたものであり、剥がされた封印シールの再使用を防止すると共に、精巧なコピーの使用を防止することができるように構成された封印シールを提供することをその課題とする。また、本発明は、上記封印シールを使用する認証システムを提供することをその課題とする。更に、本発明は、上記封印シールを使用する認証方法を提供することをその課題とする。
【課題を解決するための手段】
【０００６】
本発明の上記課題は、剥がし防止用の封印シールであって、脆質材料で構成された脆質シールと、前記脆質シールに形成された溶剤使用防止用のスリットとを備え、前記スリットは、前記脆質シールを剥がすことを試みた場合に特定の有機溶液が該スリットを通して該脆質シールの表面に染み出すことにより該脆質シールの表面におけるインクで塗布された模様或いは捺印を滲ませるように構成される封印シールによって達成される。
【０００７】
本発明の封印シールは、前記脆質シールに形成されたバーコードを更に備え、前記バーコードは、前記封印シールが貼り付けられるゲーム機の種別情報及び当該ゲーム機が設置されている店舗情報の少なくともいずれか一方の情報を含むように構成してもよい。
【０００８】
本発明の封印シールでは、前記バーコードは、２次元コードで構成され、前記２次元コードは、ＱＲコードであってもよい。
【０００９】
本発明の封印シールは、前記脆質シールに塗布されたＤＮＡインキを更に備え、前記ＤＮＡインキは、無色透明なインキであり、前記無色透明なインキは、両末端が特定のプライマ−で封止されたＤＮＡオリゴマーと、特定の波長を有する光により励起状態となり当該励起状態から基底状態に遷移するときに光を放射する光励起顔料とが添加されていてもよい。
【００１０】
本発明の上記課題は、ゲーム機の所定の位置に封印シールを貼り付ける認証システムであって、封印シールを構成している脆質シールの状態を確認する手段と、前記脆質シールに形成されたスリットの状態を確認する手段と、前記脆質シールの状態及び前記スリットの状態に基づいて該脆質シールのすり換え/剥がし跡の有無を確認する手段と、前記脆質シールに塗布されたＤＮＡインクに基づいて該脆質シールの真贋を確認する手段と、各前記確認する手段において前記脆質シールに異状がないことが確認された場合には、該脆質シールに形成されたバーコードに基づいて前記ゲーム機に関する情報及び当該ゲーム機が設置されている場所に関する情報を確認する手段とを備えている認証システムによって達成される。
【００１１】
本発明の認証システムでは、前記スリットは、前記脆質シールを剥がすことを試みた場合に特定の有機溶液が該スリットを通して該脆質シールの表面に染み出すことにより該脆質シールの表面におけるインクで塗布された模様或いは捺印を滲ませるように構成してもよい。
【００１２】
本発明の認証システムでは、前記バーコードは、２次元コードで構成され、前記２次元コードは、ＱＲコードであってもよい。
【００１３】
本発明の認証システムでは、前記脆質シールに塗布されたＤＮＡインキは、無色透明なインキであり、前記無色透明なインキは、両末端が特定のプライマ−で封止されたＤＮＡオリゴマーと、特定の波長を有する光により励起状態となり当該励起状態から基底状態に遷移するときに光を放射する光励起顔料とが添加されていてもよい。
【００１４】
本発明の上記課題は、ゲーム機の所定の位置に封印シールを貼り付ける認証方法であって、封印シールを構成している脆質シールの状態を確認する段階と、前記脆質シールに形成されたスリットの状態を確認する段階と、前記脆質シールの状態及び前記スリットの状態に基づいて該脆質シールのすり換え/剥がし跡の有無を確認する段階と、前記脆質シールに塗布されたＤＮＡインクに基づいて該脆質シールの真贋を確認する段階と、各前記確認する段階において前記脆質シールに異状がないことが確認された場合には、該脆質シールに形成されたバーコードに基づいて前記ゲーム機に関する情報及び当該ゲーム機が設置されている場所に関する情報を確認する段階とを具備する認証方法によって達成される。
【００１５】
本発明の認証方法では、前記脆質シールを剥がすことを試みた場合に特定の有機溶液が前記スリットを通して該脆質シールの表面に染み出すことにより該脆質シールの表面におけるインクで塗布された模様或いは捺印を滲ませる段階を更に具備するように構成してもよい。
【発明を実施するための最良の形態】
【００１６】
以下、添付した図面を参照して、本発明による封印シール、該封印シールを使用する認証システム及び該封印シールを使用する認証方法の好適な実施形態を説明する。
【００１７】
図１は、本発明による封印シールの一実施形態を示す概略構成図である。
図１に示すように、剥がし防止用の封印シール１０は、脆質素材を用いたシール１１で形成されており、シール１１には、所定の位置に配置された管理用のバーコード部１２、別の所定の位置に配置された真贋判定用のＤＮＡインキ部１３、及び更に別の位置に配置された溶剤使用防止用のスリット部１４が形成されている。
【００１８】
次に、封印シール１０を構成している上記各構成部分について説明する。
シール１１は、剥離すると破れやすい素材、所謂、脆質素材で形成されている。本実施形態では、シール１１の素材は、塩化ビニル樹脂コンパウンドであり、金属石鹸、有機単価水素系ワックス等により表面処理を施した無機化合物を高充填することにより、適度にシール素材の強度が弱くなるように設計されている。
シール１１を剥離しようとすると、剥離しようとしてシール１１にかけられた力よりも接着力が強いこと、並びに、シール１１自体の強度がもともと弱いことの両方により、シール１１自体が破壊される。
シール１１は、上述した特性を有することにより、従来のシールと比較すると、溶剤を使用して剥離を試みても、極度に剥離が困難である。しかも、シール１１は、脆質素材で構成されているので、剥離に対しての素材自体の引張り強度が弱く、破れ易いため、その結果、剥離を試みた痕跡を発見しやすく、かつ従来のシールと比較してＲＯＭボックスを開閉した場合に痕跡が必ず残るように構成されている。
【００１９】
バーコード部１２は、ＱＲコード１２Ａで構成されている。ＱＲコード１２Ａは、パチンコ店やゲームセンター等（以下、店舗と略称する）の店舗コード、パチンコ台或いはゲーム機等（以下、パチンコ台と略称する）の種別等の情報により構成された管理番号に基づいて暗号化されたランダムナンバーを生成して特定のコードに変換したものである。ＱＲコード１２Ａは、携帯端末（以下、携帯電話機と称する）で読取ることができるように構成されており、その詳細については、後述する。
【００２０】
ＤＮＡインキ部１３には無色透明なインキ１３Ａが塗布されている。このインキ１３Ａには、ＤＮＡ（人遺伝子）オリゴマー１３Ｂ、及び光励起顔料（以下、顔料と称する）１３Ｃが添加されている。インキ本体は、アクリル系またはウレタン系のＵＶ硬化樹脂（有機樹脂体）である。この有機樹脂体に有機物であるＤＮＡを高分散させるため、分散剤として脂肪族ポリエステルを同時に添加してある。顔料は、特定の波長を有する赤外光線により励起されることによって光を放射するものである。
インキ１３Ａに添加されているＤＮＡオリゴマー１３Ｂは、両末端が特別に設計されたプライマーで封止されており、両プライマーの塩基配列が知られない限り、ＤＮＡオリゴマー１３Ｂ本体の塩基配列情報を分析することが不可能なように構成されている。
添加されている顔料（特殊顔料）１３Ｃは、特定の波長を有する赤外光線に対して励起するように構成されている。そして励起状態となり当該励起状態から基底状態に遷移するときに光を放射する。そのときに顔料１３Ｃから放射される光をＤＮＡインキ検知器によって検知することにより、不正行為の検査を容易に行うことができる。即ち、シール１１の贋品等を使用して不正にＲＯＭを改竄した等の犯罪を発見した場合には、シール１１のＤＮＡインキ部１３に塗布されたインキ１３ＡをＤＮＡ分析することによって真贋を検知することが可能である。
【００２１】
スリット部１４は、シール１１の表面に切れ目を入れてスリット１４Ａを形成し、スリット１４Ａの表面にインクにより模様（例えば、字、図、図柄等）を塗布するか、或いはスリット１４Ａの表面に（例えば、シャチハタ印により）捺印することにより、剥がした痕跡を判断するように構成されている。また、スリット１４Ａの数は、多ければ多い程、望ましい。
通常、故意にシール１１を剥がす際に、シール１１が脆質素材（樹脂、無機物の混合物）で構成されている場合には容易に破壊されるが、有機溶剤（ベンゼン、トルエン、キシレン等を含む原料、例えば、重質ナフサ等）をシール１１の粘着面（図示省略）に塗布した場合には、シール１１を破壊することなく剥がすことができる。
しかしながら、上述したようなスリット部１４を構成することにより、シール１１を剥がしたか或いは剥がそうとした場合には、スリット１４Ａを通して有機溶液が表面（粘着面の逆側の面）に染み出して、インクで塗布された模様や捺印が滲み、実質的に剥がしたか或いは剥がそうとした痕跡が目視により判断可能になる。
【００２２】
次に、図２を参照して、本発明による封印シールを使用する認証システムの一実施形態について説明する。
図２に示すように、本実施形態の封印シール１０を使用する認証システム５０は、店舗１００の管理事務所１１０に設置された管理用コンピュータ１２０と、ＩＰ網/携帯電話網を介して管理事務所１１０に設置された管理用コンピュータ１２０と通信可能であり、店舗１００のパチンコ台１３０の確認データを読み取るための携帯端末、本実施形態ではカメラ付き携帯電話機１４０と、管理事務所１１０に設置された管理用コンピュータ１２０により作成された管理番号に基づいてＱＲコードを発行する管理番号発行業者２００に設置された管理番号発行装置２１０と、封印シール１０を作成するためのシール製造業者３００に設置されたシール製造装置３１０とにより構成されている。
【００２３】
図３は、図２に示す認証システム５０において使用する図１に示した封印シール１０の作成手順を説明するためのフロー図である。
図３のフロー図に示すように、まず店舗１００の管理事務所１１０において、管理用コンピュータ１２０は、例えば市販されている一般の表計算ソフトウェアを用いて、店舗コード、パチンコ台の種別等の情報により構成された管理番号を作成する（ステップＳ１）。
【００２４】
次に、管理番号発行業者２００に設置された管理番号発行装置２１０は、上記ステップＳ１で店舗１００の管理事務所１１０に設置された管理用コンピュータ１２０が作成した管理番号を、管理番号発行業者２００で管理している暗号化ソフトウェアを用いて、一意の数値に変換して（ステップＳ２）、変換した数値に基づいて、一般の２次元バーコード生成ソフトウェアで、特定のコード、本実施形態ではＱＲコード１２Ａを発行する（ステップＳ３）。
【００２５】
シール製造業者３００に設置されたシール製造装置３１０は、上記ステップＳ３で発行されたＱＲコード１２Ａを、写真印刷等の技法により、シール１１の所定の位置に付与して管理用のバーコード部１２を作成し（ステップＳ４）、シール１１の別の所定の位置に真贋判定用のＤＮＡインキ部１３を作成し（ステップＳ５）、そしてシール１１の更に別の所定の位置に溶剤使用防止用のスリット部１４を作成して（ステップＳ６）、封印シール１０の製造を終了する。
【００２６】
次に、図４のフロー図を参照して、図２に示した認証システム５０の動作を、本発明による封止シールを使用する認証方法の一実施形態として、以下に説明する。
図２に示した認証システム５０によって実施される認証方法は、図４のフロー図に示すように、封印シール１０が作成されたならば、作成された封印シール（防止シール）１０を発注があった店舗１００に納入し（ステップＳ１００）、各店舗１００において、図５に示すように、各パチンコ台１３０の裏ロムボックス１５０に封印シール１０を貼り付ける（ステップＳ１０１）。
店舗１００では、毎朝、チェック担当者が各パチンコ台１３０に貼り付けた封印シール１０に対して図６のフロー図に示す点検（ステップＳ２００〜ステップＳ２０５）を実行する（ステップＳ１０２）。
【００２７】
図６のフロー図を参照すると、まず、ＤＮＡインキ検知器１６０を用いて封印シール１０の真贋を確認し（ステップＳ２００）、封印シール１０の脆質シール１１に対する異状の有無を、例えば目視により、確認し（ステップＳ２０１）、かつスリット部１４に対する異状の有無を、例えば目視により、確認し（ステップＳ２０２）、上記ステップＳ２０１及び上記ステップＳ２０２で異状が無いと確認されたならば、封止シール１０のすり換えや剥がし跡がないことを確認する（ステップＳ２０３）。
【００２８】
他方、上記ステップＳ２０１又は上記ステップＳ２０２の少なくとも一方において異状が有ると確認されたならば、封止シール１０のすり換えや剥がし跡の有無を更に確認し（ステップＳ２０４）、封止シール１０のすり換えや剥がし跡の痕跡が認められた場合には、その状況をカメラ付き携帯電話機１４０にファイルする（ステップＳ２０５）。
【００２９】
上記ステップ２０３または上記ステップＳ２０４で封止シール１０のすり換えや剥がし跡がないことを確認したならば、チェック担当者は、カメラ付き携帯電話機１４０の専用リーダソフトウェアを用いて封止シール１０のバーコード部１２を構成しているＱＲコード１２Ａを図７のフロー図に示す手順（ステップＳ２０７〜ステップＳ２１４）により撮影する（ステップＳ２０６）。
図７のフロー図を参照すると、まず、カメラ付き携帯電話機１４０で確認用アプリケーション起動すると（ステップＳ２０７）、携帯電話機１４０の画面１４１上に、図８に示す担当者情報入力画面１４２が表示される（ステップＳ２０８）。
上記ステップＳ２０８で表示された担当者情報入力画面１４２にチェック担当者が担当者名（チェック担当者自身の名前）を入力すると（ステップＳ２０９）、図９に示すＱＲコード読取用画面１４３が立ち上がり携帯電話機１４０の画面１４１上に表示される（ステップＳ２１０）。チェック担当者は、携帯電話機１４０のカメラ１４４で封止シール１０のバーコード部１２を撮影して携帯電話機１４０によりＱＲコード１２Ａを読取る（ステップＳ２１１）。
上記ステップＳ２１１が実行されると携帯電話機１４０の画面１４１上に図１０に示す読取結果確認画面１４５が携帯電話機１４０の画面１４１上に表示され（ステップＳ２１２）、撮影されたＱＲコード１２Ａのデータ（確認データ）を携帯電話機１４０に蓄積させる（ステップＳ２１３）。各担当者は、持分のパチンコ台全ての点検及び確認が済むまで上述した手順を繰り返す（ステップＳ２１４）。
【００３０】
各担当者は、持分のパチンコ台全てのチェックが終了したならば、携帯電話機１４０から確認データを図１１のフロー図に示す手順（ステップＳ２１５〜ステップＳ２２１）で店舗１００の管理事務所１１０に設置された管理用コンピュータ１２０に送信する。
まず、携帯電話機１４０で撮影したデータ（確認データ）をファイルに保存し（ステップＳ２１５）、電子メールに添付して通常のＩＰ網/携帯電話網により携帯電話機１４０から管理用コンピュータ１２０に送信する（ステップＳ２１６）。
ファイルが添付された電子メールを携帯電話機１４０から受信した管理用コンピュータ１２０は、ファイルを記憶装置１２１の所定の場所にそれぞれ保存する（ステップＳ２１７）と共に、ファイルに保存されている暗号化された確認データ（ＱＲコード１２Ａ）をデコードして（ステップＳ２１８）、確認結果を集計し（ステップＳ２１９）、重複データがあった場合には重複データを集約し（ステップＳ２２０）、データに点検漏れがあった場合には、その旨を携帯電話機１４０に通知するための信号を作成する（ステップＳ２２１）。
【００３１】
次いで、図１２のフロー図に示すように、店舗１００の管理事務所１１０において、管理者は、以下に示すチェック内容（確認項目）を管理用コンピュータ１２０に接続された表示装置１２２に表示される画面または管理用コンピュータ１２０に接続されたプリンタ１２３からプリントアウトされるレポートのいずれかにより確認する（ステップＳ２２２）。
そして、店舗管理者は、以下の確認内容：
（ａ）チェック日付/時間
（ｂ）台番号
（ｃ）チェック結果（漏れの有無）
（ｄ）チェック担当者
をチェックしながら、上述した作業を定期的（例えば、毎日、毎週、等）に実施する（ステップＳ２２３）。
【００３２】
図１に示した一実施形態では、封印シール１０は、脆質素材シール１１、バーコード部１２、ＤＮＡインキ部１３及びスリット部１４で構成されているが、本発明の剥がし防止用の封印シールは、この構成に限定されるものではない。
例えば、本発明の剥がし防止用の封印シールの最も基本的な実施形態としては、脆質素材シールに、スリット部だけを構成してもよい。また、他の実施形態として、脆質素材シールに、スリット部とバーコード部とだけを構成してもよいし、更に別の実施形態としては、脆質素材シールに、スリット部とＤＮＡインキ部とだけを構成してもよい。
【図面の簡単な説明】
【００３３】
【図１】本発明による封印シールの一実施形態を示す概略構成図である。
【図２】本発明による封印シールを使用する認証システムの一実施形態の構成を示す概略ブロック図である。
【図３】本発明による封印シールの作成手順を説明するためのフロー図である。
【図４】図２に示す認証システムの動作を説明するためのフロー図である。
【図５】本発明による封印シールの使用例を示す説明図である。
【図６】図４に続く、図２の認証システムの動作を説明するためのフロー図である。
【図７】図６に続く、図２の認証システムの動作を説明するためのフロー図である。
【図８】携帯電話機に表示される画面の一例を示す図である。
【図９】携帯電話機に表示される画面の別の一例を示す図である。
【図１０】携帯電話機に表示される画面の更に別の一例を示す図である。
【図１１】図７に続く、図２の認証システムの動作を説明するためのフロー図である。
【図１２】図１１に続き、図２の認証システムの動作を説明するためのフロー図である。
【符号の説明】
【００３４】
１０  剥がし防止用の封印シール
１１  脆質素材を用いたシール
１２  管理用のバーコード部
１３  真贋判定用のＤＮＡインキ部
１４  溶剤使用防止用のスリット部
【図１】
2006284986.tif 000003
【図２】
2006284986.tif 000004
【図３】
2006284986.tif 000005
【図４】
2006284986.tif 000006
【図５】
2006284986.tif 000007
【図６】
2006284986.tif 000008
【図７】
2006284986.tif 000009
【図８】
2006284986.tif 000010
【図９】
2006284986.tif 000011
【図１０】
2006284986.tif 000012
【図１１】
2006284986.tif 000013
【図１２】
2006284986.tif 000014